(57)【要約】      （修正有）【課題】スマートホンや携帯電話等の電子機器のカバーに種々のカードを安全に保持することができる電子機器用カバーを提供する。【解決手段】少なくとも二つ折りのカバー１であって、一方のカバー片１Ａの内面に電子機器２を装着するようにすると共に、他方のカバー片１Ｂの内面にカードＣ用のポケット４を設け、そのポケット４の開口部より突出するカードＣの抜け落ちを防止するストッパー片３をカバー片１Ｂに設ける。【選択図】図２
0003219364.tif 000002
【実用新案登録請求の範囲】
【請求項１】
少なくとも二つ折りのカバー１であって、一方のカバー片１Ａの内面に電子機器２を装着するようにすると共に、他方のカバー片１Ｂの内面にカード用のポケット４を設け、そのポケット４の開口部より突出するカードＣの抜け落ちを防止するストッパー片３をカバー片１Ｂに設けた電子機器用カバー。
【請求項２】
カバー１又はカバー１に保持された電子機器２の下端部側にストラップ１１が装着されるようにした請求項１に記載の電子機器用カバー。
【考案の詳細な説明】
【技術分野】
【０００１】  本考案は、スマートホンや携帯電話等の電子機器のカバーに種々のカードを安全に保持することができる電子機器用カバーに関するものである。
【背景技術】
【０００２】  従来より、例えば、スマートホンや携帯電話等の電子機器用カバーは、カード入れや、小物入れ付きのものが便利で多数流布している。そして、カード収納部は、安全性の観点から、それらのカバーの内側面にスリット状の出し入れ口（ポケット）を設けて、カードを収納するようにしているが、電子機器を使用する場合はカード収納部が露出するため、カードが落下しやすくなる危険性があった（特許文献１、２参照）。【０００３】  そしてこれらの電子機器は手で持った場合に下方部位にストラップが付けられることが一般的であり、カバーに電子機器を挟んで保持した状態でストラップを持ってぶら下げて保持した場合、カード等を収容した状態では、カードの先端が下向きになるため、カードが落下しやすいものであり、殊に使い込んだカバーでは、ポケット周辺が経年変化で硬くなると共に締め付けが緩くなって滑り落ちやすく、その欠点が助長されるものであった。【０００４】  これを解決しようとして、カバーの外側に収納部を設けて、ここにカードを入れるようにしたもの（特許文献３参照）もあるが、外観を損なう欠点は否めないところであった。
【特許文献１】実用新案登録第３１９５６６５号公報
【特許文献２】実用新案登録第３２０３１１２号公報
【特許文献３】意匠登録第１５５４５５３号公報
【考案の開示】
【考案が解決しようとする課題】
【０００５】  本考案は、機器の使用時にカード保持部が露出してもカードの落下が防止できて安全性を確保し、しかも外観を損ねることもない電子機器のカバーを提供しようとするものである。
【課題を解決するための手段】
【０００６】  本考案の特徴は、  少なくとも二つ折りのカバー１であって、一方のカバー片１Ａの内面に電子機器２を装着すると共に、他方のカバー片１Ｂの内面にカード用のポケット４を設け、そのポケット４の開口部をより突出するカードＣの抜け落ちを防止するストッパー片３を設けたことである。
【考案の効果】
【０００７】  本考案にあっては上述のようにしたから、カード収納のためのポケット４に保持されたカードＣは、その露出部がストッパー片３で抜け落ちが防止されるために、電子機器２の使用時にポケット４が設けられたカバー片１Ｂが露出しても、カードＣの先端部はストッパー片３でロックされることになって、誤って滑り落ちる惧れが極めて低く、安全に機器を使用できるものである。【０００８】  カードＣを取り出す時は、ストッパー片３を捲って取り出すことができる。
【考案を実施するための最良の形態】
【０００９】  図１は本考案の一実施例の概略を示すもので、スマートホン等の電子機器２を収納するカバー１の一例であり、カバー１はヒンジ部６を介してカバー片１Ａ、１Ｂが折り畳み自在に連なっており、一方のカバー片１Ａの内面の保持部５に電子機器２が装着されるようになっており、他方のカバー片１Ｂの内面にカード用のポケット４が設けられる。ポケット４は複数個であっても構わない。そしてポケット４の開口部は、フラップ状のストッパー片３で覆われている。このストッパー片３を捲ると、ポケット４に差し込んで保持されたカードＣは取り出すことができる。カバー１としては少なくとも２つ折りになって居れば良く、更に３つ折り以上でも差し支えない。【００１０】  ストッパー片３は、カバー１の素材と同質のものが一般的であるが、他の素材でもよく、また皮、プラスチック、布等任意であり、軟質素材の場合はストッパー片３はいずれの位置からでも捲ってポケット４からカードＣを取り出せるが、硬質な場合は付け根をヒンジ状にすれば良い。更にストッパー片３の長さは任意であるが、複数のポケット４が設けられる場合は、最下段の開口部を十分に覆う長さが好ましいが、短くても、カードＣの脱落が防止できれば構わない。【００１１】  また必要に応じて、カバー片１Ｂには小物収納部７やメモ収納部８を設けると、チケットＴやメモＭ等をそれらに収納できる。図中９はカバー１の止め具であり、１０は電子機器２のカメラ用レンズに対応した透口である。【００１２】  更に図示実施例では、カバー１のヒンジ部６の下端部にストラップ１１装着用の取り付け部１２が施されているが、ストラップ１１は電子機器２自体の下端部に直接取り付けて、カバー１の穴より連出するようにしてもよい。【００１３】（作用の説明）
図３は電子機器２をカバー１にセットした状態を示すもので、カバー１により保護された状態で携行に供される。【００１４】  カードＣはポケット４に差し込んで保持されるが、ポケット４より突出（露出）した上端部はストッパー片３で覆われるか、短い場合でも抜け止めになる。カードＣを取り出す時は、ストッパー片３を図２の矢印Ｘのように捲ってカードＣの先端を露出させ、その先端を摘んで矢印Ｙ方向に引っ張って取り出すことができる。尚、ストッパー片３はカードＣの全幅又はそれ以上を覆うものでも良いが、カードＣの幅よりもやや狭くても、カードＣの抜け落ち防止は機能する。
【産業上の利用可能性】
【００１５】  単に電子機器２をカバー１で保護するのみならず、カードＣも併せて携行することが多くなっているが、その場合、カバー１の内側に貴重品であるクレジット機能付きのカードＣを保持する場合でも、電子機器２の使用に熱中していても誤ってカードＣ類が抜け落ちることを防止し、安全に使用できるようにすることができるものである。しかもカードＣの収納のためのポケット４が外面に露出しないので、外観を損なうこともないのである。【００１６】  また、スマートホンのような電子機器２は一般に下部を手で持って操作するため、ストラップを付ける場合は電子機器２自体の下端部又はそれを装着したカバー１の下端部にストラップ１１を取り付けることが多く、その場合、カバー１に覆われた電子機器２をストラップ１１にぶら下げた状態で携行することがあり、その場合、カードＣはポケット４の開口部が下向きになることになり、殊に使い込んだカバー１では、ポケット４周辺が硬化したり緩んだりして滑りやすく、カードＣが抜け落ちて失いやすいものであったが、本考案では、そのようなことも確実に防止できるものである。
【図面の簡単な説明】
【００１７】
【図１】本考案の一実施例の概略斜視図。
【図２】同上のカバーを開いた状態の作用説明概略斜視図。
【図３】同上の閉じた状態の斜視図。
【符号の説明】
【００１８】  １はカバー、１Ａはカバー片、１Ｂはカバー片、２は電子機器、３はストッパー片、４はポケット、１１はストラップ、Ｃはカードである。
【図１】
0003219364.tif 000003
【図２】
0003219364.tif 000004
【図３】
0003219364.tif 000005